(57)【要約】【課題】  外装ケースの異なる面に接続端子を配置する場合に、同一面毎に端子カバー蓋を設けると、端子カバー蓋の数が多くなってコストアップにつながり不経済であると共に、端子カバー蓋の開閉のための操作性が悪くプラグ等の接続作業が面倒になる。【解決手段】  複数の接続端子が外装ケース５の交差する２面に配置された電子機器に関する。複数の接続端子に着脱可能に係合される複数の端子係合部２０１，２０２と、その複数の端子係合部間を連結する連結部２０３と、その連結部の中途部に形成された回動軸部２０４と、を有する端子カバー蓋２００を設け、外装ケースの複数の接続端子間の中途部には、回動軸部２０４が回動自在に嵌合される軸受穴２１５を設けた。【選択図】      図１１  
2005184669.tif 000002
【特許請求の範囲】
【請求項１】
複数の接続端子が外装ケースの交差する２面に配置された電子機器において、
前記複数の接続端子に着脱可能に係合される複数の端子係合部と、当該複数の端子係合部間を連結する連結部と、当該連結部の中途部に形成された回動軸部と、を有する端子カバー蓋を設け、
前記外装ケースの前記複数の接続端子間の中途部には、前記回動軸部が回動自在に嵌合される軸受穴を設けたことを特徴とする電子機器。
【請求項２】
前記回動軸部の先端には抜け止めように拡径された外向きフランジ状の頭部を設け、前記軸受穴は、前記頭部を通過可能な大きさの大径部と、前記大径部に連続され且つ前記回動軸部が回動可能に係合される大きさの長穴部と、からなることを特徴とする請求項１記載の電子機器。
【請求項３】
前記端子カバー蓋は、柔軟性のある合成樹脂によって形成されていることを特徴とする請求項１記載の電子機器。
【請求項４】
前記複数の端子及び前記軸受穴は前記外装ケースの表面に設けた１つの凹陥部内に配置され、前記端子カバー蓋を前記凹陥部内に収納したときに当該端子カバー蓋の表面が外装ケースの表面と略同じ高さとなるようにしたことを特徴とする請求項１記載の電子機器。
【発明の詳細な説明】
【技術分野】
【０００１】
本発明は、外装ケースの交差する２つの面に接続端子がそれぞれ設けられた電子機器に関し、特に、それらの接続端子を１個の端子カバー蓋で閉鎖できるようにした電子機器に関するものである。
【背景技術】
【０００２】
従来の、この種の電子機器としては、例えば、特許文献１に記載されているようなものがある。特許文献１には、外部機器と電気信号の授受を行うための外部端子を備えた電子的撮像装置に関するものが記載されている。この特許文献１に記載された電子的撮像装置は、電子的撮像装置に係る外部機器と電気信号の授受を行うための外部端子と、当該電子的撮像装置の本体に固定される部位であって上記外部端子を露出可能ならしめるための開口が設けられている遮蔽部と、この遮蔽部により露出可能となる外部端子を覆う位置と露出させる位置との間で変位可能になされた蓋部と、この蓋部の上記変位を可能ならしめるための屈曲許容部と、を備えた弾性材により形成されている外部端子用蓋と、を具備した、ことを特徴としている。
【０００３】
このような構成を有する電子的撮像装置によれば、組み立てが容易で生産効率を向上することができる、と言う効果が期待される。
【０００４】
従来の他の電子機器としては、例えば、特許文献２に記載されているようなものもある。特許文献２には、合成樹脂製のスペーサと合成樹脂製のフロントカバーとを備えたコネクタ及び該コネクタの組立方法に関するものが記載されている。この特許文献２に記載されたコネクタは、複数の端子収容室を有した合成樹脂製のコネクタハウジングと、このコネクタハウジングの下側に装着されて前記各端子収容室に収容された雌端子を係止する合成樹脂製のスペーサと、前記コネクタハウジングの正面側に装着されて相手コネクタの雄端子の前記雌端子への接続を案内する合成樹脂製のフロントカバーとを備えたコネクタにおいて、前記スペーサと前記フロントカバーとを連結体を介して一体形成した、ことを特徴としている。
【０００５】
このような構成を有するコネクタによれば、コネクタハウジングの各端子収容室に収容された雌端子を係止するスペーサと該雌端子に相手コネクタの雄端子を案内するフロントカバーとを連結体を介して一体形成して一部品としたので、部品点数を削減することができて低コスト化を図ることができる、と言う効果が期待される。
【０００６】
しかしながら、前述した特許文献１の電子的撮像装置の場合には、カメラ本体の右側面に外部端子用蓋が開閉可能に配設されている。外部端子用蓋は、カメラ本体の蓋用開口部に取り付けられる遮蔽部と、ヒンジ部を介して遮蔽部と一体に形成された蓋部とを有し、蓋部によって遮蔽部が開閉可能とされている。この外部端子用蓋の内部には、ビデオ出力およびデジタル出力が接続される外部端子である外部機器用ジャックと、外部電源が接続される外部端子である外部電源ジャックとが配設されている。この外部端子用蓋を閉じることにより、非使用時における各外部端子への塵埃の侵入を防止するようになっている。
【０００７】
この特許文献１においては、外部端子用蓋が１個であり、その１個の外部端子用蓋で複数個の接続端子を保護する構成となっていた。これにより、複数個の接続端子をカメラ本体の異なる面に配置する場合には、その面の数だけカバーが必要になっていた。その結果、接続端子の配置される面の数だけカバーを設ける場合には、部品点数が多くなり、製品のコストアップにつながって不経済であるという課題があった。
【０００８】
なお、特許文献２には、コネクタ及び該コネクタの組立方法についての記載はあるが、その端子用の蓋についての記載は存在していない。
【特許文献１】特開平１０−３３６５０４号公報
【特許文献２】特開２０００−３１５５４６号公報
【発明の開示】
【発明が解決しようとする課題】
【０００９】
解決しようとする問題点は、外装ケースの異なる面に接続端子を配置する場合に、同一面毎に端子カバー蓋を設けることとすると、端子カバー蓋の数が多くなってコストアップにつながり不経済であると共に、端子カバー蓋の開閉のための操作性が悪くプラグ等の接続作業が面倒になると言う点である。
【課題を解決するための手段】
【００１０】
本出願の請求項１に記載の発明は、複数の接続端子が外装ケースの交差する２面に配置された電子機器において、複数の接続端子に着脱可能に係合される複数の端子係合部と、その複数の端子係合部間を連結する連結部と、その連結部の中途部に形成された回動軸部と、を有する端子カバー蓋を設け、外装ケースの複数の接続端子間の中途部には、回動軸部が回動自在に嵌合される軸受穴を設けたことを最も主要な特徴とする。
【００１１】
本出願の請求項２に記載の発明は、回動軸部の先端には抜け止めように拡径された外向きフランジ状の頭部を設け、軸受穴は頭部を通過可能な大きさの大径部と、その大径部に連続され且つ回動軸部が回動可能に係合される大きさの長穴部と、からなることを特徴とする。
【００１２】
本出願の請求項３に記載の発明は、端子カバー蓋は、柔軟性のある合成樹脂によって形成されていることを特徴とする。
【００１３】
また、本出願の請求項４に記載の発明は、複数の端子及び軸受穴は外装ケースの表面に設けた１つの凹陥部内に配置され、端子カバー蓋を凹陥部内に収納したときに端子カバー蓋の表面が外装ケースの表面と略同じ高さとなるようにしたことを特徴とする。
【発明の効果】
【００１４】
本出願の請求項１に記載の発明によれば、端子カバー蓋の回動軸部を外装ケースの軸受穴に嵌合し、その両端に設けた端子係合部を各接続端子に係合することにより、電子機器の外装ケースにおける互いに異なる面に配置された２つの接続端子を１個の端子カバー蓋で保護することができる。そのため、端子カバー蓋の部品点数を削減し、製品のコストダウンを図ることができる。更に、外装ケースに対する端子カバー蓋の支持部を２つの接続端子の間に設定することにより、２つの端子係合部のどちらか一方を開き、又はその両方を同時に開くことができる。しかも、回動軸部を回動中心として端子カバー蓋を回動させることにより、端子係合部を開いたときに、その端子係合部を接続端子から離れた位置に回転変位させることができ、他の電子機器の接続具を接続する際の作業性を向上させることができる。
【００１５】
本出願の請求項２に記載の発明によれば、端子カバー蓋の回動軸部に頭部を設けると共に、軸受穴を大径部と長穴部とで構成することにより、回動軸部を大径部から出し入れさせて軸受穴に対する回動軸部の取り付け・取り外し作業が容易にできるようにすると共に、回動軸部を長穴部に移動させて軸受穴から回動軸部が抜け難いようにすることができる。
【００１６】
本出願の請求項３に記載の発明によれば、端子カバー蓋を柔軟性のある合成樹脂で形成することにより、端子カバー蓋を弾性変形させて持ち易くすることができ、端子カバー蓋の回動操作を簡単且つ確実に行えるようにすることができる。
【００１７】
また、本出願の請求項４に記載の発明によれば、端子カバー蓋の連結部の厚さを凹陥部の深さと略同じ寸法に設定することにより、外装ケースの表面と端子カバー蓋の表面とを同一面として、外装ケースの表面に出っ張りができるのを防ぐことができる。
【発明を実施するための最良の形態】
【００１８】
外装ケースの異なる面に接続端子を配置する場合に、同一面毎に端子カバー蓋を別個独立に設けることなく、１個の端子カバー蓋で複数の接続端子を保護することができると共に、端子カバー蓋を回動させることによって複数の接続端子を同時に開放することを可能とした電子機器を、簡単な構造によって実現した。
【実施例１】
【００１９】
図１〜図１６は、本発明の実施の形態を示すものである。即ち、図１〜図４は本発明の電子機器の一具体例を示す撮像装置の一実施例の斜視図、正面図、平面図及び側面図、図５は同じ撮像装置の表示装置を開いて後方から見た斜視図、図６は同じ撮像装置をディスク側の後方から見た斜視図、図７は同じくディスク蓋を開いて前方から見た斜視図、図８は同じくディスク状記録媒体を装着した状態の斜視図、図９は同じく側面図、図１０は撮像装置を把持した説明図である。図１１及び図１２は本発明の撮像装置に係る外装ケースのディスク側パネルと端子カバー蓋を示す分解斜視図、図１３は端子カバー蓋を示す斜視図、図１４はディスク側パネルに端子カバー蓋が装着された状態を内側から見た説明図、図１５は同じく外側から見た説明図、図１６は端子カバー蓋を回動変位させた状態を示す説明図である。
【００２０】
図１〜図１０に記載した電子機器の一具体例を示す撮像装置１は、情報記憶メディアであるディスク状記録媒体の一具体例として直径８ｃｍのＤＶＤ（Digital Versatile Disc）を使用し、光学的な画像をＣＣＤ（固体撮像素子）で電気的な信号に変換してＤＶＤに記録したり、液晶モニタ等の表示装置に表示できるようにしたもの（以下「ディスク式撮像装置」という。）である。しかしながら、本発明の撮像装置１に係るディスク状記録媒体としては、この実施例で示すＤＶＤに限定されるものではなく、ＣＤ−ＲＯＭその他の記録可能な光学ディスクを用いることができることは勿論のこと、例えば光磁気ディスク、磁気ディスク等のように他の記録方式のディスク状記録媒体を適用できるものである。
【００２１】
このディスク式撮像装置１は、着脱自在に装着されるＤＶＤ２を回転駆動して情報信号の記録（書き込み）及び再生（読み出し）を行うディスクドライブ装置３（図７〜図９を参照）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【００２２】
外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及びリアパネル１２と、中央部パネル９の内側に配置される図に表れない仕切りパネルとからなり、これらのパネル８〜１２によって中空の筐体が構成されている。そして、仕切りパネルのディスク側パネル８側の面に、ディスクドライブ装置３が４箇所に設けられたマウントインシュレータ１４（図１１を参照）を介して弾性的に支持されている。これらのパネル８〜１２は、互いに重ね合わされた適当な部分において、或いは他の部材を介して固定ネジからなる固着手段によって組立・分解可能に構成されている。
【００２３】
レンズ装置４は、外装ケース５の上部に内蔵された状態で固定されていて、その対物レンズ１５がフロントパネル１１の上部を前方に貫通して前面に露出されている。図示しないが、外装ケース５の内部において、レンズ装置４の後方にＣＣＤが配置されており、そのＣＣＤの後方にビューファインダ１６が配置されている。
【００２４】
ビューファインダ１６は外装ケース５の上部に露出されていて、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本実施例では約９０度）内で任意角度に角度調節可能とされている。このビューファインダ１６の角度調整は、ファインダ移動機構の前端部から後端部までの如何なる位置においても行うことができる。
【００２５】
更に、外装ケース５の上部には、ビデオライトや外付けマイクロホン等のアクセサリーが着脱自在に装着されるアクセサリーシュー１７が取り付けられている。アクセサリーシュー１７はビューファインダ１６の直前に配置されていて、ビューファインダ１６を後方へ移動させたときに、アクセサリーシュー１７への挿入口が開口されるようになされている。この挿入口を開口させた状態においてアクセサリーの装着が可能であり、アクセサリーの装着後、ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。
【００２６】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００２７】
図５及び図６に示すように、外装ケース５のリアパネル１２には、電源バッテリー２４が着脱自在に装着されるバッテリー収納部２５が設けられている。バッテリー収納部２５は、リアパネル１２の背面及び下面に開口されていて、電源バッテリー２４は後方斜め下方から差し込み、また同方向へ取り出し可能とされている。更に、リアパネル１２には、吊り下げ用ストラップのための２個の支持金具２６ａ，２６ｂが取り付けられている。２個の支持金具２６ａ，２６ｂのうち、一方の支持金具２６ａは右サイドの上部に配置され、他方の支持金具２６ｂは左サイドの下部に配置されている。
【００２８】
図４及び図５に示すように、外装ケース５の表示装置側パネル１０には、表示装置２８が姿勢変更可能に取り付けられている。表示装置２８は、平板状の液晶モニタ２９と、この液晶モニタ２９が収納されたパネルケース３０と、このパネルケース３０を外装ケース５に対して姿勢変更可能に支持するパネル支持部３１とから構成されている。
【００２９】
パネル支持部３１は、垂直軸を回動中心としてパネルケース３０を水平方向に略９０度回動可能とした水平回動機能と、水平軸を回動中心としてパネルケース３０を前後方向に略１８０度回動可能とした前後回動機能とを有している。これにより表示装置２８は、図１〜図４に示す収納状態と、図５に示すパネルケース３０を９０度回動させて液晶モニタ２９を後方へ対向させた状態と、図５の状態からパネルケース３０を１８０度回動させて液晶モニタ２９を前方へ対向させた状態と、それらの中間位置の状態とを任意に取ることができる。
【００３０】
更に、表示装置側パネル１０には、パネルケース３０によって開閉自在に覆われる多数の操作ボタンからなる内側操作部３２と、パネルケース３０の上方に配された複数の操作ボタンからなる外側操作部３３が設けられている。
【００３１】
図７及び図８に示すように、外装ケース５のディスク側パネル８は、ディスク蓋７が取り付けられる側面部８ａと、この側面部８ａの上下に連続する上面部８ｂ及び下面部８ｃと、側面部８ａの左右に連続する前面部８ｄ及び後面部８ｅとからなり、側面部８ａの前面部８ｄ側にディスク収納部６が開口されている。ディスク側パネル８の上面部８ｂの略中央部から前面部８ｄを経て下面部８ｃの略中央部に至る部分は、略半円形をなす枠状に形成されている。そして、略半円形をなす枠状部分の内側には、補強等を目的とした補強部８ｆが内側へ張り出すように形成されている。
【００３２】
ディスク収納部６は、ディスクドライブ装置３の一部を露出させるための開口部を有する一定領域からなり、この実施例では直径が８ｃｍのディスク状記録媒体に対応する大きさの領域として形成されている。このディスク収納部６の略中央部にはディスクドライブ装置３のテーブル回転装置３５が配置され、その中央部に位置するターンテーブル３６に対して、ディスク状記録媒体の一具体例を示す直径８ｃｍのＤＶＤ２が装着可能とされている。なお、テーブル回転装置３５は、図７に一部が現れた状態を示すように、前述した仕切りパネルに弾性支持されたメカシャーシ３７に固定されている。
【００３３】
このテーブル回転装置３５が配置されたディスク収納部６は、図７に示すように、ディスク側パネル８に側面部を回動自在に支持されたディスク蓋７によって開閉可能に覆われている。ディスク蓋７は、ディスク収納部６の形状に見合う形状とされていて、ディスク収納部６の開口側を覆う平面部７ａと、この平面部７ａの外周縁の略全周に亘って連続する周面部７ｂを有している。ディスク蓋７の周面部７ｂは、ディスク側パネル８のディスク収納部６の外周側切欠き部と嵌り合うように構成されている。
【００３４】
この実施例で示すディスク蓋７は、外周縁一周の略５／６（約３００度）が円形（円形部分は全体の略３／４以上あれば良い。）とされたシェル形をなしていて、残りの部分が直線からなる方形部７ｃとされている。この方形部７ｃには、ディスク蓋７を開閉動作させるための回動中心となる蓋回動軸部３９が取り付けられている。蓋回動軸部３９は、図示しないが、方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３９には、ディスク蓋７の最大開き角度（例えば、９０度）を設定するストッパ部が設けられている。
【００３５】
このような蓋回動軸部３９が、その支持軸の軸方向を上下方向に設定してディスク側パネル８に取り付けられている。これにより、ディスク蓋７が蓋回動軸部３９を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３９には、一定の開放角度の範囲内においてディスク蓋７を任意の開放位置で静止させることができると共に、その開放角度を超えたときにはディスク蓋７を開放側へ付勢するようにバネ部材が装着されている。
【００３６】
このディスク側パネル８と重ね合わされる中央部パネル９は、ディスク側パネル８の上面部８ｂと表示装置側パネル１０の間に介在される上面部９ａと、この上面部９ａから前側に連続して前面部８ｄとフロントパネル１１の間に介在される前面部９ｂとからなっている。この中央部パネル９の上面部９ａの略中央部から前面部８ｄの下部に亘る部分には、内側となる表示装置側パネル１０側に傾斜させることによって凹部となるくびれ４２が設定されている。このくびれ４２を有するディスク側パネル８及び中央部パネル９の円弧状をなす部分によってディスク式撮像装置１を握って保持するためのグリップ部４３が構成されている。
【００３７】
このような中央部パネル９とディスク側パネル８の間には、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。
【００３８】
また、図３及び図６等に示すように、ディスク側パネル８には、ディスク蓋７を囲うようにハンドストラップ６０が取り付けられている。ハンドストラップ６０は、外装ケース５の把持部とされたグリップ部４３を握るユーザーの手の部分を支えて、ディスク式撮像装置１の取り落とし等を防止するものである。
【００３９】
このハンドストラップ６０は、両端がディスク側パネル８に固定された支持ベルト６１と、この支持ベルト６１に装着されてユーザーの手の甲部分に当接される保護パッド６２から構成されている。支持ベルト６１の一端はディスク側パネル８の前側下部に固定された取付金具６３に連結され、他端はディスク側パネル８の後側中途部に設けた貫通穴から内側に挿入されて、その内部に取り付けられた取付金具に固定されている。
【００４０】
図６等に示すように、ディスク側パネル８の後部には、電源ボタン６４とモード切換ダイヤル６５と録画ボタン６６が配置されている。モード切換ダイヤル６５はリング状をなしていて、その穴内に電源ボタン６４が収納されている。電源ボタン６４はプッシュ・プッシュ方式のスイッチ手段からなり、その押圧動作によって電源バッテリー２４からの電力供給がオン・オフされる。モード切換ダイヤル６５は録画等の動作モードを選択するためのもので、その回動操作によって「静止画モード」と「動画モード」と「見る・編集モード」との３態様の中から任意のモードを選択することができる。また、録画ボタン６６はプッシュ・プッシュ方式のスイッチ手段からなり、その押圧動作によって動画撮影のスタートとストップが繰り返される。
【００４１】
また、ディスク側パネル８の後側上部には、シャッタボタン６７とズームレバー６８が配置されている。シャッタボタン６７は静止画を撮影するためのもので、その押圧操作により、１回の押圧操作毎に１つの静止画が撮影される。また、ズームレバー６８は撮影時や再生時等において画像を拡大するためのもので、その操作量に応じて一定の範囲内で倍率を無段階に調整することができる。
【００４２】
更に、ディスク側パネル８の後側上部には、ＤＣ・ＩＮ端子２１０とリモート端子２１１とが設けられている。ＤＣ・ＩＮ端子２１０には、図示しないＡＣアダプタのＤＣプラグが着脱自在に装着される。例えば、ＤＣ・ＩＮ端子２１０にＤＣプラグを接続すると共に、ＡＣアダプタに電源コードを接続してこれらを介してディスク式撮像装置１を家庭用電源のコンセントに接続することにより、ディスク式撮像装置１に取り付けられている電源バッテリー２４に充電することができる。また、リモート端子２１１には、他の電子機器のリモート端子用プラグが接続される。このリモート端子２１１に他の電子機器のリモート端子用プラグを接続することにより、その電子機器をコードの有るリモコンとして使用してディスク式撮像装置１を遠隔的に動作させることができる。
【００４３】
ＤＣ・ＩＮ端子２１０は、ディスク側パネル８の側面部８ａの後側上部に配置され、リモート端子２１１は、ディスク側パネル８の後面部８ｅの上部に配置されている。更に、ＤＣ・ＩＮ端子２１０とリモート端子２１１は、略同じ高さ位置に設定されている。そして、図１１等に示すように、ディスク側パネル８のＤＣ・ＩＮ端子２１０及びリモート端子２１１と対応する位置には横方向に延在された凹陥部２１２が設けられていて、その凹陥部２１２内において各端子の形状に見合った形状を有する長方形の端子穴２１３と円形の端子穴２１４が設けられている。
【００４４】
更に、両端子穴２１３，２１４間の横方向中途部には、軸受穴２１５が設けられている。軸受穴２１５は、横並びに配置された大径部２１５ａと長穴部２１５ｂとからなり、長穴部２１５ｂの幅は大径部２１５ａの直径よいも適当に小さく形成されている。この軸受穴２１５を用いて１個の端子カバー蓋２００が、２つの端子２１０，２１１を同時に覆うことができるよう凹陥部２１２に着脱可能に装着されている。
【００４５】
端子カバー蓋２００は、図１１〜図１３に示すような形状及び構造を有している。すなわち、端子カバー蓋２００は、ＤＣ・ＩＮ端子２１０に嵌合可能な形状とされた第１の端子係合部２０１と、リモート端子２１１に嵌合可能な形状とされた第２の端子係合部２０２と、両端子係合部２０１，２０２間を連結する連結部２０３とからなり、全体として略Ｌ字状に一体形成されている。連結部２０３は、両端子係合部２０１，２０２よりも柔軟性を持たせるために幅方法の寸法が少々小さく設定されている。
【００４６】
更に、第１の端子係合部２０１の長手方向の先端には、剥離作業を容易にするために爪先を入り込ませることができるようにした切欠き部２０１ａを設けている。同様に、第２の端子係合部２０２の上方の側部には、同じく剥離作業を容易にするために爪先を入り込ませることができるようにした切欠き部２０２ａを設けている。そして、両端子係合部２０１，２０２は、それぞれ同方向へ突出するよう形成されている。
【００４７】
この端子カバー蓋２００の第１の端子係合部２０１と第２の端子係合部２０２との長手方向中途部には、両端子係合部２０１，２０２と同方向に突出する回動軸部２０４が設けられている。回動軸部２０４は、軸受穴２１５の長穴部２１５ｂと回動自在に嵌り合う軸部２０４ａと、この軸部２０４ａの先端に設けられ且つ軸受穴２１５の大径部２１５ａを通過可能とされた頭部２０４ｂとからなっている。このような構成を有する端子カバー蓋２００の材質としては、例えば、エラストマーやポリプロピレン（ＰＰ）が好適であるが、適度な強度を有し且つ柔軟性のあるものであれば他の合成樹脂を用いることができることは勿論である。
【００４８】
なお、図１１及び図１２に示す符号２２０は、シャッタボタン６７及びズームレバー６８を支持する支持フレームである。この支持フレーム２２０が、第１・第２の端子穴２１３，２１４及び軸受穴２１５の内側に配置される。
【００４９】
前記外装ケース５を構成するディスク側パネル８、中央部パネル９、表示装置側パネル１０、フロントパネル１１及びリアパネル１２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金等の金属を用いることもできる。
【００５０】
前述したように外装ケース５の内部は仕切りパネルによって左右方向（レンズ装置４の光軸と交差する方向）に仕切られており、これにより、ディスク蓋７側の第１の室と表示装置側の第２の室が形成されている。仕切りパネルは板状の部材からなり、固定ネジによって外装ケース５の内部に締付固定されている。仕切りパネルの材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。
【００５１】
図示しないが、外装ケース５の第１の室にはディスクドライブ装置３が収納され、第２の室にはレンズ装置４と制御回路部等が収納されている。そのため、仕切りパネルの一面側にはディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載されるプリント基板等によって構成される。
【００５２】
図７に要部を示すように、ディスクドライブ装置３は、仕切りパネルに取り付けられるメカシャーシ３７と、このメカシャーシ３７に固定されるテーブル回転装置３５と、ピックアップ装置の一具体例を示す光学ピックアップ装置７１等を備えて構成されている。メカシャーシ３７は導電性の板材で形成されていて、絶縁性材料で形成された弾性体からなる複数個のマウントインシュレータを介して仕切りパネルに弾性的に支持されている。
【００５３】
更に、インシュレータは円筒状に形成されたゴム状弾性体からなり、その外周面の軸方向中途部には周方向に連続する環状溝が設けられている。このインシュレータの所定個数（本実施例では４個）が、メカシャーシ３７のインシュレータ受け部やインシュレータ受け片に設けた切欠き穴に環状溝を嵌合させることによってそれぞれ装着されている。そして、仕切りパネルに設けた複数個の支持ピンにインシュレータの中央穴を嵌合した後、各支持ピンの先端に取付ネジを螺合することにより、それぞれのインシュレータの脱落が防止されている。
【００５４】
このようなインシュレータを介して仕切りパネルに取り付けられたメカシャーシ３７は、十分に大きな強度を有する枠状の部材によって構成されている。メカシャーシ３７と仕切りパネルの導体部分は、図示しないアース部材によって互いに導通されていて、静電気等を外部に放出し易い構造とされている。このメカシャーシ３７に搭載されたテーブル回転装置３５は、メカシャーシ３７に固定されたスピンドルモータと、このスピンドルモータの回転部に固定されたターンテーブル３６とから構成されている。
【００５５】
ターンテーブル３６は、ＤＶＤ２のセンタ穴が嵌合される嵌合部３６ａと、センタ穴の周縁部が載置される載置部３６ｂとからなっている。更に、ターンテーブル３６の嵌合部３６ａには、ＤＶＤ２のセンタ穴の周縁部に係合してＤＶＤ２を保持する複数個の係合爪３６ｃが周方向に複数個設けられている。各係合爪３６ｃはスプリングによって半径方向外側へ付勢されており、このスプリングのバネ力によってＤＶＤ２が嵌合部３６ａに位置決め固定される。
【００５６】
また、光学ピックアップ装置７１は、ＤＶＤ２の情報記録面に対向されるピックアップレンズ７４ａを有する二軸アクチュエータ７４と、この二軸アクチュエータ７４が搭載されたスライド部材７５等を備えて構成されている。スライド部材７５は、図に表れない２本のガイド軸にガイドされて移動可能とされている。２本のガイド軸は、スピンドルモータ７２を挟んで互いに平行とされており、一方のガイド軸の近傍にピックアップ移動装置が設けられている。
【００５７】
図示しないが、ピックアップ移動装置は、スライド部材７５に取り付けられた送りナットに係合される送りネジ軸と、この送りネジ軸を回転軸とした送りモータとから構成されている。送りネジ軸は光学ピックアップ装置７１のガイド軸と平行に設定され、メカシャーシ３７に回転自在に支持されている。かくして、送りモータを駆動して送りネジ軸を回転することにより、その送りネジ軸の回転方向に応じて光学ピックアップ装置７１がターンテーブル３６に近づく方向とターンテーブル３６から離れる方向とに選択的に移動される。これらメカシャーシ３７とテーブル回転装置３５と光学ピックアップ装置７１とピックアップ移動装置とその他の関連機構とによってディスクドライブ装置３が構成されている。
【００５８】
このような構成を有するディスクドライブ装置３が取り付けられた仕切りパネルを外装ケース５内の所定位置に固定することにより、図７に示すように、テーブル回転装置３５のターンテーブル３６とその周辺部分がディスク側パネル８のディスク収納部６に配置される。このディスク収納部６がディスク蓋７によって開閉され、そのディスク蓋７のロック及びそのロック解除が蓋開閉機構によって行われる。
【００５９】
このような構成を有するディスク式撮像装置１によれば、例えば、図１０に示すような状態でディスク式撮像装置１を片手でしっかりと把持して被写体を撮影することができる。この場合、外装ケース５のディスク側パネル８及びディスク蓋７の部分がそのままディスク式撮像装置１を片手で握るための把持部となっており、しかも、その把持部の略全体が略円形に形成されているため、大きなグリップ部４３で安定した撮影が可能となった。しかも、グリップ部４３の内側にはくびれ４２が設定されているため、そのくびれ４２に人差し指から小指までの各先端部を掛けて握ることにより、十分に大きな把持力を生じさせることができる。
【００６０】
また、外装ケース５のディスク側パネル８の互いに交差する２面に配置された２つの端子、すなわち、ＤＣ・ＩＮ端子２１０とリモート端子２１１には１個の端子カバー蓋２００に設けた第１の端子係合部２０１と第２の端子係合部２０２が着脱可能に係合されている。そのため、図６及び図１４等に示すように、１個の端子カバー蓋２００でありながら、異なる２面に設けられた接続端子を確実に保護しつつ、一方の端子係合部のみを開放させ或いは両方の端子係合部を同時に開放させて、それぞれの接続端子を使用することができる。
【００６１】
例えば、図１５に示すように、端子カバー蓋２００の一方の第１の端子係合部２０１のみをＤＣ・ＩＮ端子２１０から外すことにより、他方の第２の端子係合部２０２をリモート端子２１１に係合させた状態のままＤＣ・ＩＮ端子２１０に、ＡＣアダプタのＤＣプラグを装着することができる。この際、端子カバー蓋２００は、回動軸部２０４によってディスク側パネル８の軸受穴２１５にしっかりと係合保持されているため、端子カバー蓋２００がディスク側パネル８から剥がれ落ちることがない。しかも、一方の端子係合部が固定の役割を果たすため、その分他方の端子係合部の引っ張り強度を向上させることができる。このような接続端子の開放状態は、第２の端子係合部２０２のみを開放したときも同様である。
【００６２】
また、図１６に示すように、第１及び第２の端子係合部２０１，２０２を同時に開放し、両接続端子に共にプラグ等を接続する場合にも、回動軸部２０４によって端子カバー蓋２００がディスク側パネル８の軸受穴２１５にしっかりと係合保持されているため、端子カバー蓋２００がディスク側パネル８から剥がれ落ちることがない。しかも、回動軸部２０４を回動中心として端子カバー蓋２００を回動させることにより、両端の端子係合部２０１，２０２をそれぞれの接続端子から離れた位置に一時的に移動させることができる。これにより、ＤＣ・ＩＮ端子２１０とリモート端子２１１を共に大きく開放させることができるため、対応するプラグの差し込み・引き抜き動作をやり易くすることができ、この種の電子機器における取り扱い時の作業性の向上を図ることができる。
【産業上の利用可能性】
【００６３】
本発明は、前述しかつ図面に示した実施の形態に限定されるものではなく、その要旨を逸脱しない範囲内で種々の変形実施が可能である。例えば、前記実施例では、ＤＶＤを記録媒体として用いたディスク式撮像装置に適用した例について説明したが、光磁気ディスクや磁気ディスク等の他の記録方式のディスク状記録媒体を用いることができる。この場合、これらに使用されるピックアップ装置は、記録媒体の種類に応じて、光磁気ピックアップ装置、磁気ピックアップ装置等となる。
【００６４】
また、端子カバー蓋によって開閉可能とされる接続端子としては、上述した端子に限定されるものではなく、例えば、音声を取り込む外付け用のマイクロホンが接続されるマイク端子、映像信号や音声信号が入力される映像・音声端子等の端子は勿論のこと、その他にも制御回路部のマイクロコンピュータのリセットボタン等のスイッチの保護にも適用可能なものである。更に又、電子機器としても、前述したディスク式撮像装置に限定されるものではなく、他の形式の撮像装置（カメラ一体型ビデオテープレコーダ、デジタルスチルカメラ、アナログスチルカメラ等）は勿論のこと、撮像装置以外にも、例えば、カセットテープレコーダ、ラジオ、携帯用テレビジョン、携帯用電話機等の各種の電子機器に適用可能である。
【図面の簡単な説明】
【００６５】
【図１】本発明の電子機器の一具体例に係る撮像装置の一実施例を示す斜視図である。
【図２】本発明の電子機器に係る撮像装置の一実施例を示す正面図である。
【図３】本発明の電子機器に係る撮像装置の一実施例を示す平面図である。
【図４】本発明の電子機器に係る撮像装置の一実施例を示す側面図である。
【図５】図１に示す撮像装置において、表示装置を側方に開いて背面側から見た斜視図である。
【図６】図１に示す撮像装置において、電源バッテリーを装着して背面側から見た斜視図である。
【図７】図１に示す撮像装置において、ディスク蓋を開いて背面側から見た斜視図である。
【図８】図１に示す撮像装置において、開かれたディスク蓋とハンドストラップとの干渉状態を説明する斜視図である。
【図９】図１に示す撮像装置のディスク蓋を開いた状態の側面図である。
【図１０】図１に示す撮像装置のグリップ部を握った使用状態を示す説明図である。
【図１１】本発明の電子機器に係る撮像装置のディスク側パネルと端子カバー蓋を外側から見た斜視図である。
【図１２】本発明の電子機器に係る撮像装置のディスク側パネルと端子カバー蓋を内側から見た斜視図である。
【図１３】本発明の電子機器に係る撮像装置の端子カバー蓋を示す斜視図である。
【図１４】図１２のディスク側パネルに端子カバー蓋を装着した状態を示す説明図である。
【図１５】図６のディスク側パネルに装着された端子カバー蓋の第１の端子係合部を開いた状態を示す説明図である。
【図１６】図１５の端子カバー蓋を回動軸部を回動中心として回動させた状態を示す説明図である。
【符号の説明】
【００６６】
１…ディスク撮像装置（撮像装置）、  ２…ＤＶＤ（ディスク状記録媒体）、  ３…ディスクドライブ装置、  ４…レンズ装置、  ５…外装ケース、  ６…ディスク収納部、  ７…ディスク蓋、  ８…ディスク側パネル、  ９…中央部パネル、  １０…表示装置側パネル、  １１…フロントパネル、  １２…リアパネル、  ３５…テーブル回転装置、  ３６…ターンテーブル、  ３７…メカシャーシ、  ４２…くびれ、  ４３…グリップ部、  ６０…ハンドストラップ、  ７１…光学ピックアップ装置（ピックアップ装置）、  ７３…ターンテーブル、  ２００…端子カバー蓋、  ２０１，２０２…端子係合部、  ２０４…回動軸部、  ２０４ｂ…頭部、  ２１２…凹陥部、  ２１３，２１４…端子穴、  ２１５…軸受穴、  ２１５ａ…大径部、  ２１５ｂ…長穴部
【図１】
2005184669.tif 000003
【図２】
2005184669.tif 000004
【図３】
2005184669.tif 000005
【図４】
2005184669.tif 000006
【図５】
2005184669.tif 000007
【図６】
2005184669.tif 000008
【図７】
2005184669.tif 000009
【図８】
2005184669.tif 000010
【図９】
2005184669.tif 000011
【図１０】
2005184669.tif 000012
【図１１】
2005184669.tif 000013
【図１２】
2005184669.tif 000014
【図１３】
2005184669.tif 000015
【図１４】
2005184669.tif 000016
【図１５】
2005184669.tif 000017
【図１６】
2005184669.tif 000018